(57)【特許請求の範囲】
【請求項１】
受信アンテナにおいてフェージングが発生しているか否かを判定するフェージング判定手段と、
複数のアレー素子から基準信号を複数の送信レーダ波として送信するとともに、前記基準信号の反射波を受信している前記受信アンテナにおいてフェージングが発生していると前記フェージング判定手段が判定した場合に、前記基準信号から切り替えて、複数の直交信号をそれぞれ前記複数のアレー素子から複数の送信レーダ波として送信する送信アンテナと、
複数のアレー素子で前記基準信号の反射波または前記複数の直交信号の反射波を受信する前記受信アンテナと、
前記受信アンテナが前記基準信号の反射波または前記複数の直交信号の反射波を受信して得られた受信信号の受信信号データベクトルから前記受信信号の相関行列を算出する相関行列算出手段と、
前記相関行列算出手段で算出された前記受信信号の相関行列から固有ベクトルを算出する固有ベクトル推定手段と、
前記受信信号データベクトルに、前記固有ベクトルを最大比合成ウエイトとして乗じ、前記受信アンテナが受信する前記基準信号の反射波または前記複数の直交信号の反射波から得られた前記受信信号の合成信号を算出する最大比合成手段と、
を備えたことを特徴とするレーダ装置。
【請求項２】
複数の直交信号は、複数の直交ＰＮ符号信号であることを特徴とする請求項１に記載のレーダ装置。
【請求項３】
複数の直交信号は、複数の直交周波数信号であることを特徴とする請求項１に記載のレーダ装置。
【請求項４】
受信アンテナにおいてフェージングが発生しているか否かを判定するフェージング判定手段と、
複数のアレー素子から基準信号を複数の送信レーダ波として送信するとともに、前記基準信号の反射波を受信している前記受信アンテナにおいてフェージングが発生していると前記フェージング判定手段が判定した場合に、前記基準信号から切り替えて、互いに異なる位相の複数の基準信号をそれぞれ前記複数のアレー素子から複数の送信レーダ波として送信する送信アンテナと、
複数のアレー素子で前記基準信号の反射波または前記互いに異なる位相の複数の基準信号の反射波を受信する受信アンテナと、
前記受信アンテナが前記基準信号の反射波または前記互いに異なる位相の複数の基準信号の反射波を受信して得られた受信信号の受信信号データベクトルから前記受信信号の相関行列を算出する相関行列算出手段と、
前記相関行列算出手段で算出された前記受信信号の相関行列から固有ベクトルを算出する固有ベクトル推定手段と、
前記受信信号データベクトルに、前記固有ベクトルを最大比合成ウエイトとして乗じ、前記受信アンテナが受信する前記基準信号の反射波または前記互いに異なる位相の複数の基準信号の反射波から得られた前記受信信号の合成信号を算出する最大比合成手段と、
を備えたことを特徴とするレーダ装置。
【請求項５】
送信アンテナは、位相が２π×（ｋ−１）／Ｎ（Ｎは位相の数、ｋは１≦ｋ≦Ｎを満たす自然数）となる互いに異なる位相の複数の基準信号を複数の送信レーダ波として送信することを特徴とする請求項４に記載のレーダ装置。
【発明の詳細な説明】
【技術分野】
【０００１】
この発明は、レーダ装置に係るものであり、特にフェージング発生時においてもアレーアンテナの各素子からの信号の合成信号を安定して取り出す技術に関する。
【背景技術】
【０００２】
車載用途のレーダが目標に向けて放射したレーダ波が、路面などに反射されて自車レーダに入射するようなマルチパス環境においては、複数の伝達経路の距離の差に応じた位相（phase）差が生じ、受信レベルの強弱が生じる。このような現象はフェージングと呼ばれている。このようなフェージングに対する対策の一つとして、周波数ホッピングと呼ばれる方法が効果的である。しかしながら、複数の周波数を用いることにより、装置が複雑になり、高コスト化を招く上、電波法令上複数の周波数を利用できない場合も多い。
【０００３】
一方、単一の周波数を用いたフェージング対策としては、上下方向（路面からの反射波を考慮した場合）に複数のアンテナを備える空間ダイバーシティ法がある。空間ダイバーシティには、選択ダイバーシティ法、等利得合成法、最大比合成法（ＭＲＣ：Maximum Ratio Combining）がある。このうち、最大比合成法は、各アンテナで受信した信号を重み付けして加算することで、合成後のＳ／Ｎを最大にすることが可能であり、最もよい性能を期待できる方法である。そして、車載ミリ波通信を想定した路面反射フェージングに対して、最大比合成法を適用する方法も検討されている（例えば、非特許文献１及び２）。
【０００４】
【非特許文献１】唐沢好男，"ITSミリ波車車間通信における路面反射フェージングとスペースダイバーシティに関する基礎的検討，"信学論(B)，vol.J83-B, no.4, pp.518-524, April 2000.
【非特許文献２】神谷幸宏，唐沢好男，"ソフトウエアアンテナ[III]，"信学技報，AP-98-139, pp65-72, Jan. 1998.
【発明の開示】
【発明が解決しようとする課題】
【０００５】
従来の方法によれば、相関行列の固有展開を行い、第一固有値に対応する固有ベクトルとして最大比合成法のウエイトが得られることとされている。しかし、最大比合成法が本来の性能を発揮するためには、高精度なウエイト推定が必要となる。従って、通常のレーダ波の送受信でフェージングが発生するような場合は、各アンテナの受信信号Ｓ／Ｎが悪いので、相関行列の第一固有値に対応する固有ベクトルの推定誤差から本来の最大比合成効果が得られないという問題が生ずる。
【０００６】
例えば、バンパーなどにレーダアンテナを実装する車載レーダなど、アレーのアンテナ間隔を十分に大きくとれない構成のレーダ装置では、アレーのほぼすべてのアンテナで同時にフェージングが発生する。このような場合、ほぼすべてのアンテナで受信電力がなくなるという状況に陥るので、各アンテナでの受信信号Ｓ／Ｎがおしなべて低下してしまう。このため、相関行列の推定精度が劣化し、最大比合成ウエイトの推定誤差が大きくなる。その結果、もはや本来の最大比合成が実現困難となっていた。
【課題を解決するための手段】
【０００７】
この発明に係るレーダ装置は、受信アンテナにおいてフェージングが発生しているか否かを判定するフェージング判定手段と、複数のアレー素子から基準信号を複数の送信レーダ波として送信するとともに、前記基準信号の反射波を受信している前記受信アンテナにおいてフェージングが発生していると前記フェージング判定手段が判定した場合に、前記基準信号から切り替えて、複数の直交信号をそれぞれ前記複数のアレー素子から複数の送信レーダ波として送信する送信アンテナと、複数のアレー素子で前記基準信号の反射波または前記複数の直交信号の反射波を受信する前記受信アンテナと、前記受信アンテナが前記基準信号の反射波または前記複数の直交信号の反射波を受信して得られた受信信号の受信信号データベクトルから前記受信信号の相関行列を算出する相関行列算出手段と、前記相関行列算出手段で算出された前記受信信号の相関行列から固有ベクトルを算出する固有ベクトル推定手段と、前記受信信号データベクトルに、前記固有ベクトルを最大比合成ウエイトとして乗じ、前記受信アンテナが受信する前記基準信号の反射波または前記複数の直交信号の反射波から得られた前記受信信号の合成信号を算出する最大比合成手段と、を備えたものである。
【発明の効果】
【０００８】
この発明に係るレーダ装置によれば、フェージング発生時に複数の直交信号による送信レーダ波を放射し、その反射波に基づいて相関行列および各アレー素子の合成信号を算出することとしたので、複数の直交信号の反射波の位相が受信時に異なるときに各アレー素子から受信電力が得られることから、相関行列から最大比合成ウエイトを求めることが可能となり、各アレー素子の合成信号を安定して算出することができる、という極めて優れた効果を奏するのである。
【発明を実施するための最良の形態】
【０００９】
実施の形態１．
図１は、この発明の実施の形態１によるレーダ装置の構成を示すブロック図である。このレーダ装置は、説明を簡単にするために２個のアンテナ素子から構成されているものとする。しかしながら、より多くのアンテナ素子を備える場合であっても、この発明を適用することができることはいうまでもない。図において、送信信号発生器１は基準信号を発生する部位である。なお、この説明及び以降の説明において、部位という語は、そのような機能を実現するための素子又は回路を意味する。しかしながら、この発明の構成要素を、ＤＳＰ（Degital Signal Processor）やＣＰＵ（Central Processing Unit）とコンピュータプログラムとを組み合わせて同等の機能を実現するように構成してもよい。
【００１０】
また、直交ＰＮ符号発生器２は、直交ＰＮ（Ｐｓｅｕｄｏ  Ｎｏｉｓｅ）符号信号を発生する部位である。スイッチ３は、２入力１出力のスイッチ素子である。スイッチ３の各端子をここで、入力端子Ａと入力端子Ｂ、出力端子Ｃとすれば、可動端子は出力端子Ｃに接続されており、適宜、入力端子ＡとＢのいずれかに接続することで、２つの入力のいずれかを出力するようになっている。この発明の実施の形態１では、送信信号発生器１を入力端子Ａに、また直交ＰＮ符号発生器２を入力端子Ｂに、それぞれ接続している。なお、初期状態においては可動端子は入力端子Ａに接続している。
【００１１】
送信器４は、スイッチ３の出力端子に接続されており、送信信号発生器１が発生した基準信号あるいは直交ＰＮ符号発生器２が発生した直交ＰＮ符号信号のいずれかを、空間に放射可能な電力レベルにまで増幅する部位である。サーキュレータ５−１及び５−２は、送信器４から送信信号が出力された場合には、その送信信号を後述するアンテナ６−１及び６−２に出力するとともに、アンテナ６−１及び６−２が何らかのレーダ波を受信した場合には、そのレーダ波を後述する受信器７−１及び７−２に出力する素子又は回路である。なお、この発明の実施の形態１の構成では、アンテナ６−１及び６−２は、送受信兼用アンテナとしているが、送受信アンテナを別個に設ける構成も可能であり、そのような場合には、サーキュレータ５−１及び５−２のような部位は必要としない。
【００１２】
続いて、アンテナ６−１及び６−２はアレーアンテナ素子であって、送信器４によって増幅された送信信号を、測定対象となる目標に向けてレーダ波として放射するとともに、目標によって反射されたレーダ波を受信するようになっている。受信器７−１及び７−２は、アンテナ６−１及び６−２がそれぞれ受信した受信信号から受信データベクトル（以後、単に受信ベクトルと呼ぶ）を出力する部位である。
【００１３】
フェージング判定器８は、受信器７−１及び７−２の受信電力をモニタリングして、アンテナ６−１及び６−２でフェージングが発生しているか否かを判断する部位である。さらにフェージング判定器８は、フェージングのモニタリング結果に応じて、スイッチ３及び後述するスイッチ９に対して可動端子を切り替える制御信号を出力するようになっている。
【００１４】
スイッチ９は、１入力２出力のスイッチ素子である。スイッチ９は、入力端子Ｄと出力端子Ｅ、同じく出力端子Ｆとを備えており、入力端子Ｄに接続された可動端子が出力端子Ｅ及びＦのいずれか一方に接続することで、出力する端子を適宜選択するようになっている。なお、初期状態においては、可動端子は出力端子Ｅに接続している。また入力端子Ｄには受信器７−１及び７−２の出力信号が出力されるように結線されている。
【００１５】
相関行列推定器１０は、ベースバンドの受信信号に基づいて相関行列を推定する処理を行う部位であって、スイッチ９の出力端子Ｅに接続されている。また、相関処理器１１は、トレーニングパルスに対する受信ベクトルから相関行列を算出する部位であって、スイッチ９の出力端子Ｆに接続されている。
【００１６】
固有ベクトル推定器１２は、相関行列の固有展開を行い、固有値を求めて、第一固有値に対する固有ベクトルを算出する部位である。最大比合成器１３は、固有ベクトル推定器１２が算出した第一固有値に対する固有ベクトルを、最大比合成ウエイトとして各アレーの出力ベースバンド信号を合成する部位である。
【００１７】
なお、フェージング判定器８は請求項１に記載の発明におけるフェージング判定手段の例であり、直交ＰＮ符号発生器２は、同発明におけるトレーニングパルス発生手段の例であり、相関処理器１１は、同発明における相関処理手段の例であり、固有ベクトル推定器１２は、同発明における固有ベクトル推定手段の例であり、最大比合成器１３は、同発明における最大比合成手段の例である。
【００１８】
次に、この発明の実施の形態１によるレーダ装置の動作について説明する。送信信号発生器１は、生成したリニア周波数変調パルスやＰＮ符号変調パルスなどの基準信号Ｓ(ｔ)を生成してスイッチ３の入力端子Ａに出力する。すでに述べたように、スイッチ３は、初期状態では可動端子を入力端子Ａに接続しており、その結果として、送信信号発生器１が発生した基準信号は、送信器４に出力される。送信器４は、基準信号を周波数変換し、さらに送信波レベルにまで増幅して送信波とし、サーキュレータ５−１及び５−２を介して、アンテナ６−１とアンテナ６−２に出力する。アンテナ６−１と６−２は、増幅された送信信号を空間に放射する。
【００１９】
ここで簡単のために、二つのアンテナ６−１と６−２に与える振幅・位相のウエイトｗを、
【数１】
0004608893.tif 000002
とする。すなわち送信レーダ波はアレー正面方向へビーム指向されるものとする。
【００２０】
さらに、各アンテナの指向性は簡単のために無指向性とすると、目標位置での信号Ｓｔ(ｔ)は、
【数２】
0004608893.tif 000003
と表される。
【００２１】
ここでは、時間遅延、および直接波と反射波の時間遅延差は実用上無視できるとし、またドップラシフトと伝搬路長による減衰は簡単のため省略している。またＡは、各アンテナ別の直接波と路面反射波の振幅、位相差を与える行列であり、式（３）で与えられる。
【数３】
0004608893.tif 000004
ここでＲｎは、アンテナ６−ｎ（ｎ＝１，２）から目標までの距離、φｎはアンテナ６−ｎからの直接波と路面反射波の目標位置での位相差、ρｎはアンテナ６−ｎからの路面反射波の路面での反射係数である。これらは、フレネル反射係数やスペキュラ反射係数（roughnessパラメータなどに依存）などの物理パラメータに依存している。
【００２２】
アレーアンテナ６−１及び６−２は、目標によって反射されたレーダ波を受信して、受信信号を出力する。この受信信号は、サーキュレータ５−１及び５−２を経由して、受信器７−１及び７−２に出力される。受信器７−１及び７−２は、受信信号をベースバンドに変換する。σ１とσ２をそれぞれ目標の直接波方向と路面反射方向への反射係数とすれば、ベースバンドに変換された受信信号Ｘ(ｔ)は、
【数４】
0004608893.tif 000005
となる。ここでＧは伝播行列である。式（４）から明らかなように、レーダにおいて路面反射が問題となるような状況において、伝播行列Ｇは、直接波と反射波に時間差やドップラ周波数差がない複素定数行列を用いて表すことができる。
【００２３】
フェージング判定器９は、受信信号Ｘ(ｔ)の振幅（あるいは電力など）をモニターする。より具体的には、信号振幅が０となった場合に、フェージングが発生したと判断する。フェージングが発生したと判断した場合、フェージング発生器９は、スイッチ３とスイッチ９に制御信号を送り、可動端子を切り替えさせる。これによって、スイッチ３の可動端子は入力端子Ｂに接続し、またスイッチ９の可動端子は出力端子Ｅに接続する。またそれまで発生していたフェージングがおさまった場合、すなわち０であった信号の振幅が非０値となった場合も、フェージング判定器９は制御信号をスイッチ３とスイッチ９に送る。この結果、スイッチ３の可動端子は入力端子Ａに接続し、スイッチ９の可動端子は出力端子Ｅに接続する。
【００２４】
初期状態では、スイッチ９の可動端子は出力端子Ｅに接続している。したがって受信器７−１及び７−２が出力した受信信号Ｘ(ｔ)は、スイッチ９を介して相関行列推定器１０に出力される。相関行列推定器１０は、式（５）によって受信信号Ｘ(ｔ)の相関行列Ｒを算出する。
【数５】
0004608893.tif 000006
なお、式（５）において、＜＊＞は平均操作を表す演算子である。
【００２５】
次に、固有ベクトル推定器１２は、相関行列推定器１０が算出した相関行列Ｒの固有展開を行い、第一固有値に対応する固有ベクトルＷMを求める。最大比合成器１３は、固有ベクトル推定器１２が算出した固有ベクトルＷMを最大比合成ウエイトとして用い、式（６）によって出力Ｙ(ｔ)を算出する。
【数６】
0004608893.tif 000007
式（６）において、Ｈは行列の複素共役転置を表している。ここまでは、フェージングが発生していない状態での、この発明の実施の形態１によるレーダ装置による信号処理の内容である。
【００２６】
次に、この発明の実施の形態１によるレーダ装置の、フェージングが発生している状態における信号処理について説明する。フェージングが発生した状態、すなわち
【数７】
0004608893.tif 000008
となった状態において、フェージング判定器８は、スイッチ３及びスイッチ９に制御信号を送る。その結果、スイッチ３は可動端子を入力端子Ｂに接続し、スイッチ９は可動端子を出力端子Ｆに接続する。
【００２７】
一方、直交ＰＮ符号発生器２は、アレーアンテナ素子６−１と６−２の個数と同じ数である２個の直交するＰＮ符号を発生させる。直交ＰＮ符号としては、例えばＭ系列(Maximum Length Sequence)などの系列を発生させる。この２つの直交ＰＮ符号をＳi（ｉ＝１，２）とする。
【００２８】
直交符号発生器２が発生した直交ＰＮ符号Ｓiは、スイッチ３を経由して送信器４に出力される。送信器４は、送信信号発生器１が発生した基準信号と同様に送信器４によって増幅され、サーキュレータ５−１及び５−２を介して、アンテナ６−１及び６−２から空間に放射され、目標物及び路面などに反射されて、再びアンテナ６−１及び６−２に到来する。アンテナ６−１及び６−２に到来したレーダ波は、受信信号として受信器７−１及び７−２に出力される。受信器７−１及び７−２は、受信信号を受信信号データベクトル（以後、受信ベクトルと呼ぶ）として、スイッチ９の出力端子Ｆを経由して相関処理器１１に出力する。受信ベクトルＸ(ｔ)は、式（８）で与えられる。
【数８】
0004608893.tif 000009
【００２９】
式（８）において、Ｓ１（ｉ＝１の場合の直交ＰＮ符号Ｓi）、Ｓ２（ｉ＝２の場合の直交ＰＮ符号Ｓi）は、直交ＰＮ符号であるから、式（９）におけるＳiとＳｊを満たすものである。
【数９】
0004608893.tif 000010
なお、ここで、δijはクロネッカーのデルタであり、ｉ＝ｊで値を有し、ｉ≠ｊで０となる。この２つの直交ＰＮ符号の信号の位相が同じときは、フェージング状態となるが、異なるときは、各アンテナから受信電力が得られる。
【００３０】
次に、相関処理器１１は、送信トレーニングパルスＳ１とＳ２に対する受信ベクトルに対して、右からＳｋＨ（ｋ＝１，２）を乗ずることで、
【数１０】
0004608893.tif 000011
を得る。ここで、Ｇ<k>は正方行列Ｇの第ｋ列ベクトルを表す。このように、各ｋに対して同様の相関処理を行うことで、伝播行列Ｇを求めることができる。ここで得られた伝播行列Ｇを用いて受信信号の相関行列Ｒは、
【数１１】
0004608893.tif 000012
として算出される。なお、Ｐは受信信号電力値であるが、最大比合成ウエイトを求めるにあたり、無関係である。
【００３１】
固有ベクトル推定器１２は、ＧＧHの第一固有値に対応する固有ベクトルとして最大比合成ウエイトを算出する。最大比合成器１３は、フェージングが発生していない場合の処理と同様であるので説明を省略する。
【００３２】
以上から明らかなように、この発明の実施の形態１のレーダ装置によれば、マルチパスによるフェージングが発生していると判断すると、直交ＰＮ符号をトレーニングパルスとして送信することとした。これによって、フェージング環境下でも、トレーニングパルスの受信信号から伝播行列の推定を行って、最大比合成ウェイトを推定することができるので、高精度な最大比合成ウエイトが得られ、空間ダイバーシティ法として最も高性能が期待できる最大比合成法の本来の性能を期待することができるのである。
【００３３】
実施の形態２．
この発明の実施の形態１のレーダ装置によれば、フェージング発生時に、直交ＰＮ符号信号をトレーニングパルスとして用いて、レーダ波として送信する。そしてそのレーダ波に対する受信信号から伝播行列を推定し最大比合成ウエイトを得た。しかしこの他にも、例えば位相を０とπとする基準信号をトレーニングパルスとして発生し、フェージング発生時には、このトレーニングパルスをレーダ波として放射するようにしてもよい。例えばアンテナ６−１からは位相０のトレーニングパルスによるレーダ波を放射し、アンテナ６−２からは位相πのトレーニングパルスによるレーダ波を放射するようにする。
【００３４】
図２は、このような特徴を有するこの発明の実施の形態２によるレーダ装置の構成を示したブロック図である。図において、０／π信号発生器１４は、位相を０とπとするトレーニングパルスを発生する部位である。その他、図１と同一の符号を付した構成要素については、実施の形態１と同様なので説明を省略する。
【００３５】
このレーダ装置では、フェージング判定器８がフェージングが発生していると判定した場合、スイッチ３が可動端子を入力端子Ｂに接続して、０／π信号発生器１４の発生するトレーニングパルスを送信器４に出力する。このトレーニングパルスは図３に示すような信号である。図３の０とπはそれぞれ各時刻の信号の位相を表している。
【００３６】
そして送信器４でこのトレーニングパルスを増幅してサーキュレータ５−１及び５−２を介してアンテナ６−１及び６−２から空間に放射する。以後の処理については、実施の形態１と同様である。
【００３７】
以上から明らかなように、この発明の実施の形態２のレーダ装置によれば、すべてのチップ（１チップ幅とは１つのバイナリフェーズの時間幅をいう）で信号が得られることとなり、伝播行列推定の効率が向上する。
【００３８】
なお、位相をそれぞれ０とπとしたのは、一例であって、他の異なる２の位相であればどのようなものであってもよい。さらにアレーアンテナ素子数が２の場合は、２個の位相を選択して構成することになるが、Ｎ（Ｎは２以上の自然数）個の場合は、例えば２π×（ｋ−１）／Ｎのような位相を選択してもよい。またこのように、等間隔の位相差である必要もなく、０〜２πの値域からＮ個の位相を選択すれば十分である。
【００３９】
実施の形態３．
また、トレーニングパルスとして、直交周波数信号を用いるようにしてもよい。この発明の実施の形態３によるレーダ装置は、このような特徴を有するものである。図４は、この発明の実施の形態３によるレーダ装置の構成を示すブロック図である。図において、直交周波数信号発生器１５は、トレーニングパルスとして、ベースバンドにおいて周波数がｆ１だけオフセットした周波数信号と、ｆ２だけオフセットしたＣＷ波信号を発生する部位である。その他、図１と同一の符号を付した構成要素は実施の形態１と同様であるので、説明を省略する。
【００４０】
次に、この発明の実施の形態３によるレーダ装置の動作について説明する。直交周波数信号発生器１５は、ベースバンドにおいて周波数がｆ１だけオフセットした周波数信号と、ｆ２だけオフセットしたＣＷ波信号を発生する。ここで、数９に示した直交性を満足させるために、周波数ｆ１とｆ２との間に、
【数１２】
0004608893.tif 000013
という条件を設ける。こうすることで、すべての時間サンプルで信号が得られ、伝播行列の推定の効率が向上する。なお、スイッチ３以降の処理は、実施の形態１及び２と同様である。
【００４１】
実施の形態４．
なお、式（１２）は周波数ｆ２を周波数ｆ１の偶数倍としているが、式（１３）に示すように単なる整数倍としても構わない。
【数１３】
0004608893.tif 000014
【産業上の利用可能性】
【００４２】
この発明は、例えば、車載用レーダ装置などフェージングが発生する環境下で用いられるレーダ装置に適用することができる。
【図面の簡単な説明】
【００４３】
【図１】この発明の実施の形態１のレーダ装置の構成を示したブロック図である。
【図２】この発明の実施の形態２のレーダ装置の構成を示したブロック図である。
【図３】この発明の実施の形態２のレーダ装置が発生するトレーニングパルスの内容の例を示す図である。
【図４】この発明の実施の形態３のレーダ装置の構成を示したブロック図である。
【符号の説明】
【００４４】
１  送信信号発生器、
２  直交ＰＮ符号発生器、
３，９  スイッチ、
４  送信器、
５−１，５−２  サーキュレータ、
６−１，６−２  アンテナ、
７−１，７−２  受信器、
８  フェージング判定器、
１０  相関行列推定器、
１１  相関処理器、
１２  固有ベクトル推定器、
１３  最大比合成器、
１４  ０／π信号発生器、
１５  直交周波数信号発生器。
【図１】
0004608893.tif 000015
【図２】
0004608893.tif 000016
【図３】
0004608893.tif 000017
【図４】
0004608893.tif 000018